(57)【要約】【課題】便器制御部を装着するためのフレームを簡単安価に便器に装着できる便器載置を提供する。【解決手段】樹脂製の便器の張り出し支持部４にその後方端面４１から便器前方方向に延伸したＬ字型支持溝５を形成し、該Ｌ字型支持溝５を構成する縦溝５１は該リム部３の上面に開口すると共に、該Ｌ字型支持溝５を構成する横溝５２は該張り出し支持部４を構成する部分のボウル部２の上面に沿って延出し、更に、該Ｌ字型支持溝５にＬ字型フレーム６を挿入固設すると共に、張り出し支持部４の後方端面４１から後方へ張り出した該Ｌ字型フレーム６の張り出し部６１に該便器の機能動作を制御する制御部７を支承させてなる便器装置。【選択図】図５
2009197545.tif 000002
【特許請求の範囲】
【請求項１】
スカート部とボウル部とリム部とを重ねて一体に形成した樹脂製の便器本体において、ボウル部とリム部との重なり部を便器本体の後方に張り出して張り出し支持部を形成し、該張り出し支持部の後方端面から便器本体の前方方向に延伸したＬ字型支持溝を該張り出し支持部を構成するリム部に形成し、該Ｌ字型支持溝を構成する縦溝を該リム部の上面に開口させると共に、該Ｌ字型支持溝を構成する横溝を該張り出し支持部を構成する部分のボウル部の上面に沿って延出させ、更に、該Ｌ字型支持溝にＬ字型フレームを挿入固設すると共に、張り出し支持部の後方端面から後方へ張り出した該Ｌ字型フレームの張り出し部に便器装置の機能動作を制御する制御部を支承させてなる便器装置。
【請求項２】
上記張り出し支持部の後方端面からボウル部の一部を突出して突片を形成すると共に、該突片でＬ字型フレームの張り出し部を支承し、更に、該突片に形成した係合部と該Ｌ字型フレームの張り出し部に形成した係合部とを係合させたことを特徴とする請求項１記載の便器装置。
【発明の詳細な説明】
【技術分野】
【０００１】
本願発明は、主としてスカート部とボウル部とリム部との三部材からなる合成樹脂製の便器本体に該便器本体の便蓋等開閉、便座の保温等の動作を制御する制御部を装着した便器装置にかかり、特に、該制御部を支承するフレームを便器本体に固設した便器装置に関するものである。
【背景技術】
【０００２】
従来、特開２００７−３２１４４１号公報に開示されているような、スカート部とボウル部とリム部との三部材からなる合成樹脂製の便器本体を構成し、当該便器の便座の保温や便座・便蓋の開閉を行い、また、洗浄水を放出したり、脱臭装置を作動させる制御部が該便器本体に隣接して設けられた便器装置は知られていた。この便器装置を本願の図８に示す。同図に示すように、スカート部１とボウル部２とリム部３とからなる便器蓋体Ａはその後端部に上記制御部７が設けられており、この制御部７は便器本体Ａの後端部に一体的に設けられた制御部支持台８に載置されていた。同図において、９は便座、１０は弁蓋である。
【特許文献１】特開２００７−３２１４４１号公報
【発明の開示】
【発明が解決しようとする課題】
【０００３】
しかしながら、上記従来例である便器装置は、制御部支持台８を設けているため、便器全体が嵩張り、また、制御部支持台８の材料費もかかり、且つ、制御部支持台８がトイレ床面に直に置かれるので、該床面を有効に活用しにくく、更に、床面の掃除のとき該制御部支持台８が汚れるという問題があった。そこで、該制御部７を床面から浮かして取り付けることも考えられ、その方法として、便器本体の後端部にフレーム等で櫓を組みその櫓に制御部７を載置すること（図示せず）が提案されてきたが、コスト的にも強度的にも十分満足いくものではなかった。
【０００４】
本願発明は、上記背景技術に鑑みてなされたものであり、その目的は、便器制御部を装着するためのフレームを簡単安価に装着できる便器載置を提供することである。
【課題を解決するための手段】
【０００５】
上記課題を解決するために、本願請求項１記載の発明に係る便器装置は、スカート部とボウル部とリム部とを重ねて一体に形成した樹脂製の便器本体において、ボウル部とリム部との重なり部を便器本体の後方に張り出して張り出し支持部を形成し、該張り出し支持部の後方端面から便器本体の前方方向に延伸したＬ字型支持溝を該張り出し支持部を構成するリム部に形成し、該Ｌ字型支持溝を構成する縦溝を該リム部の上面に開口させると共に、該Ｌ字型支持溝を構成する横溝を該張り出し支持部を構成する部分のボウル部の上面に沿って延出させ、更に、該Ｌ字型支持溝にＬ字型フレームを挿入固設すると共に、張り出し支持部の後方端面から後方へ張り出した該Ｌ字型フレームの張り出し部に便器装置の機能動作を制御する制御部を支承させたことを特徴としている。
【０００６】
本願請求項２記載の発明は、上記請求項１記載の便器装置において、張り出し支持部の後方端面からボウル部の一部を突出して突片を形成すると共に、該突片でＬ字型フレームの張り出し部を支承し、更に、該突片に形成した係合部と該Ｌ字型フレームの張り出し部に形成した係合部とを係合させたことを特徴としている。
【発明の効果】
【０００７】
本願請求項１記載の発明に係る便器においては、上記の構成であり、特に、ボウル部とリム部との重なり部を便器の後方に張り出して張り出し支持部を形成し、該張り出し支持部の後方端面から便器本体の前方方向に延伸したＬ字型支持溝を該張り出し支持部を構成するリム部に形成したから、Ｌ字型フレームを該Ｌ字型支持溝内に十分に長い距離で支持固着することができる。従って、Ｌ字型フレームが張り出し支持部に確りと固設され制御部を安定した状態でＬ字型フレームの張り出し部に支承できる。このときＬ字型フレームは平板や丸棒に比較して断面係数が大きく従って垂直方向の曲げ剛性が大きいので制御部を十分に支承できるとともに、ボルトナット等での該制御部のＬ字型フレームへの固定が容易となる。
【０００８】
また、Ｌ字型フレームをＬ字型支持溝の挿入固設するとき、必要に応じて接着剤を併用して固着することができ、従来のように複数のフレームを溶接して制御部支持台を製造する場合に比較して、該Ｌ字型フレームの溶接が不要となるので、コスト削減がはかれる。
【０００９】
更に、Ｌ字型フレームは張り出し支持部にボルトやナットを使用せずにＬ字型支持溝内に固設できるので、組み立て速度が速まり、且つ、接着剤を使用しない場合は分解取り外しが容易となる。
【００１０】
また、本願便器装置は、従来のように便器とは独立した制御部支持台を使用しないので、トイレ床面が広くなり便器後方のトイレ床面を有効に活用できる。
【００１１】
更に、制御部およびＬ字型フレームは床面に接触せず上方位置に設置されるので、トイレ床面を水洗いするときでも水がかかりにくく、長寿命となる。
【００１２】
本願請求項２記載の発明に係る便器は、上記構成であり、特に、ボウル部の後方端面の一部を突出して突片を形成し、該突片でＬ字型フレームの張り出し部を支承し、該突片に形成した係合部と該Ｌ字型フレームの張り出し部に形成した係合部とを係合部させたから、Ｌ字型フレームがＬ字型支持溝から抜けにくく、従って、Ｌ字型フレームを接着剤なしでＬ字型支持溝に圧入固着することができる。
【００１３】
また、上記突片に形成する係合部を複数個の突起で構成することにより、突片の曲げ剛性が強化される。
【発明を実施するための最良の形態】
【００１４】
以下本願発明に係る便器装置の実施の形態について図面を参照して説明する。図１は本願発明の便器装置にかかる便器本体の分解斜視図であり、本願に係る便器本体Ａは樹脂製のスカート部１とボウル部２とリム部３とを予め主要３部材として成形し、これらを重ねて一体に固着して図２に示す便器本体Ａが構成される。ボウル部２とリム部３との重なり部は便器本体Ａの後方に張り出して張り出し支持部４が形成されている。これらの部材は、その内部の残留応力を除去するためアニールがされている。また、必要に応じてその表面品質を向上させるため、公知のハードコート材がその表面にコーティングされる。
【００１５】
図３は上記便器本体Ａの後方の張り出し支持部４にＬ字型フレーム６を固着する前の部分分解拡大斜視図、図４は便器本体Ａの後方の張り出し支持部４にＬ字型フレーム６を挿入固設した状態を示す部分拡大斜視図である。同図に示すように、張り出し支持部４の後方端面４１から便器本体Ａの前方方向に延伸したＬ字型支持溝５がリム部３に形成されている。Ｌ字型支持溝５はその横断面がＬ字型形状であり該Ｌ字型支持溝５はリム部３のみに形成されておりボウル部２には形成されていない。Ｌ字型支持溝５を構成する縦溝５１は該リム部３の上面に開口し、その横溝５２は縦溝５２の底部から横方向にボウル部２と平行にボウル部２の面上に延出している。
【００１６】
Ｌ字型支持溝５にはＬ字型フレーム６が張り出し支持部４の後方端面４１から挿入され、必要に応じて接着剤を併用して固着される。Ｌ字型フレーム６をＬ字型支持溝５に挿入するときは圧入されることが好ましい。Ｌ字型支持溝５に挿入固設されたＬ字型フレーム６の垂直片６１はＬ字型支持溝５の縦溝５１から上方に突出立設しておりＬ字型フレーム６の水平片６２はＬ字型支持溝５の横溝５２に嵌入した状態となっている。また、Ｌ字型フレーム６のＬ字型支持溝５の挿入されていない部分は張り出し部６１として上記張り出し支持部４よりも更に後方に張り出している。
【００１７】
Ｌ字型フレーム６はボルトやナットを使用せずに張り出し支持部４に形成したＬ字型支持溝５内に固設できるので、組み立て速度が速まり、且つ、接着剤を使用しない場合は分解取り外しが容易となっている。
【００１８】
Ｌ字型フレーム６は金属製であっても樹脂製であってもよく、また、Ｌ字型フレーム６の使用本数はその材質や制御部７の重量や形状に応じて選択される。
【００１９】
図５は本願発明の便器装置の斜視図であり、便器装置の機能動作を制御する制御部７が張り出し支持部４およびＬ字型フレーム６（Ｌ字型フレーム６の張り出し部６１を含む）に装着された状態を示している。制御部７は例えば水洗便器の便座の保温や便座・便蓋の開閉を行い、また、洗浄水を放出したり、脱臭装置を作動させる制御部である。図示例では該制御部７は点線で示されている。制御部７の下部は床面まで空間となっており、該床面を有効に利用できるようになっている。
【００２０】
図６は、本願発明の便器装置の他の実施形態にかかる便器本体Ａの張り出し支持部４における部分拡大斜視図である。同図に示すように、この実施の形態においては、上記張り出し支持部４の後方端面４１からボウル部３の一部を突出させて突片３１を形成しており、更に、該突片３１に円柱状の突起からなる係合部３２が形成されている。一方、Ｌ字型フレーム６の張り出し部６３の水平片６２には上記係合部３２が嵌合する貫通孔からなる係合部６４が形成されている。
【００２１】
該Ｌ字型フレーム６をＬ字型支持溝５に挿入固着したとき上記それぞれの係合部３２、６４が互いに嵌合して係合する。従って、Ｌ字型フレーム６はＬ字型支持溝５から容易には抜けなくなっている。このとき、ボウル部３の突片３１はＬ字型フレーム６の張り出し部６３を支承することになる。
【００２２】
上記それぞれの係合部３２、６４の突起と貫通孔の関係は逆にしてもよい。また当該係合部は凹凸形状でもよく、その形状は上記実施の形態に限定されるものではない。
【００２３】
スカート部１、ボウル部２、リム部３等の部材は射出成形、或いはサンドイッチ成形により成形された樹脂成形品である。成形品部材としては主に熱可塑性樹脂が用いられる。例えば、耐薬品性のあるＰＰや比較的強度があるアクリル系樹脂、補強材入りＡＢＳやＰＢＴ等が用いられる。コスト節減のため上記部材の再生材を用いることもできる。
【図面の簡単な説明】
【００２４】
【図１】本願発明の便器装置にかかる便器本体の分解斜視図。
【図２】本願発明の便器装置にかかる便器本体の斜視図。
【図３】上記便器本体の後方の張り出し部にＬ字型フレームを固着する前の部分分解拡大斜視図。
【図４】上記便器本体の後方の張り出し部にＬ字型フレームを固着した状態を示す部分拡大斜視図。
【図５】本願発明の便器装置の斜視図。
【図６】本願発明の便器装置の他の実施形態にかかる便器本体の張り出し部における部分拡大斜視図。
【図７】従来の便器装置の斜視図。
【符号の説明】
【００２５】
Ａ      便器本体
１      スカート部
２      ボウル部
３      リム部
３１    リム部の後方端面に形成した突片
３２    突片に形成した係合部
４      張り出し支持部
４１    張り出し支持部の後方端面
５      Ｌ字型支持溝
５１    Ｌ字型支持溝の縦溝
５２    Ｌ字型支持溝の横溝
６      Ｌ字型フレーム
６１    Ｌ字型フレームの垂直片
６２    Ｌ字型フレームの水平片
６３    Ｌ字型フレームの張り出し部
６４    張り出し部に形成した係合部
７      制御部
８      制御部支持台
９      便座
１０    弁蓋
【図１】
2009197545.tif 000003
【図２】
2009197545.tif 000004
【図３】
2009197545.tif 000005
【図４】
2009197545.tif 000006
【図５】
2009197545.tif 000007
【図６】
2009197545.tif 000008
【図７】
2009197545.tif 000009